(57)【特許請求の範囲】
【請求項１】
アウターケース（１４）と、該アウターケース（１４）に設けられたガイドレールとインナーケース（１６）付き灰皿本体の側方外面に設けられた円弧状ガイド片（２７）とによって開閉動作が規定される円弧状回動タイプの自動車用灰皿をリッドクラスター（１２）を介して車体へ取付ける取付構造であって、
上記アウターケース（１４）の奥起立壁（１８）に、該アウターケース（１４）を車体（１１、２６）に共締めするためのスクリューねじ（１９）のねじ挿通孔（２０）を穿設し、さらに該灰皿本体（１５）を全開させ、上記灰皿本体のインナーケース（１６）を取外した状態において、上記スクリューねじ（１９）を上記車体（１１、２６）に螺着せしめるための工具（２４）を、上記スクリューねじ（１９）に目掛けて差し込むことを可能にする該工具挿通用の透孔（２５）を上記灰皿本体（１５）の奥起立壁（２３）に設けたことを特徴とする自動車用灰皿の取付構造。
【発明の詳細な説明】
【０００１】
【発明の属する技術分野】
本発明は、自動車の車室内前方、つまりインストルメントパネルの中央部下位置に設備される自動車用灰皿の取付構造に関するものである。
【０００２】
【従来の技術】
自動車のインストルメントパネルの中央部下位置に設備される灰皿構造として各種構造のものがあるが、一般的な灰皿構造として図３に示す如きものがある。
【０００３】
この灰皿構造は、車体と一体に固定されるアウターケース１と、このアウターケース１に対して出し入れ可能に嵌合保持される灰皿本体２と、この灰皿本体２の内部で着脱可能に嵌合されるインナーケース３との組合せによって構成されているものであって、その灰皿を車体に組付けるための手順は、先ず上記アウターケース１を、リッドクラスター４に設けられている灰皿取付孔５内に嵌入させた後、該アウターケース１と共にリッドクラスター４を、インストルメントパネル６内に嵌め込み、次いでリッドクラスター４の奥端面に形成されているねじ挿通孔１０及びアウターケース１の奥端面に形成されている取付孔７にスクリューねじ８を差し込み、このスクリューねじ８によって、リッドクラスター４及びアウターケース１の双方を、インストルメントパネル６に螺着する。
【０００４】
かくして、インストルメントパネル６に固定されたアウターケース１に対して、インナーケース３の嵌合を済ませている灰皿本体２を嵌入保持させて車体への灰皿の取付けが完了するものである。
【０００５】
従って上記の説明で判るように、従来の灰皿取付構造では、その灰皿を車体（インストルメントパネル）に固着するに際し、アウターケース１より灰皿本体２を取り外しておかなければ、そのアウターケース１を車体に固定することができないものであった。
【０００６】
【発明が解決しようとする課題】
ところが、車体に固着した後のアウターケース１内に、灰皿本体２を後組付けするということは、アウターケース１と灰皿本体２が元元組合わされているものを灰皿の取付準備工程でアウターケース１と灰皿本体２とを分離させなければならず、そして分離された灰皿本体の管理が必要となり、取付け作業性が低下する。
【０００７】
また車体に固着させた後のアウターケース１内に灰皿本体２を嵌入させようとするとき、車種によっては、アウターケース１内に嵌入しようとする灰皿本体２が、車体既設部材９等に干渉して灰皿本体２の嵌入作業が困難となったり、又は嵌入不可能となる等の不具合があった。
【０００８】
本発明は、かかることに着目してなされたもので、アウターケースと、該アウターケースによって開閉方向へ摺動可能に支持される灰皿本体とからなる車両用灰皿を車体に組着けるに際し、そのアウターケースより灰皿本体を分離させることなく、アウターケース内に灰皿本体を嵌入させたままの状態で、上記アウターケースを車体に螺着せしめることができる構造となして、上記従来例の説明で述べた灰皿本体の管理の省力化、及び灰皿本体のアウターケース内嵌入時の不具合を解消することができる自動車用灰皿取付構造の提供を目的とする。
【０００９】
【課題を解決するための手段】
この目的を達成するために本発明では、アウターケースと該アウターケースによって開閉方向へ摺動可能に支持される灰皿本体とからなる車両用灰皿の車体への取付構造であって、上記アウターケースの奥起立壁には、車体に螺着されるスクリューねじ挿通孔を穿設し、上記灰皿本体の奥起立壁には、該灰皿本体をアウターケースに対して開放状態に位置させたとき、上記スクリューねじを車体に螺着せしめるための工具を、スクリューねじにめがけて差し込むことを許す工具挿通用の透孔を設けたことを特徴としている。
【００１０】
【発明の実施の形態】
以下に本発明の実施形態を図面に基いて詳細に説明する。
【００１１】
図１、図２において、１１はインストルメントパネルであって、このインストルメントパネル１１の中央部下位置に形成されている灰皿、オーディオ等の取付孔の孔縁には、リッドクラスター１２が被着されるものであるが、インストルメントパネル１１に被着される以前のリッドクラスター１２には、上記した円弧状回動タイプの自動車用灰皿が組付けられる。
【００１２】
この円弧状回動タイプの自動車用灰皿は、リッドクラスター１２の裏側で、取付ねじ１３によって固定されるアウターケース１４と、このアウターケース１４により円弧方向へ開閉可能に支持される灰皿本体１５と、この灰皿本体１５の内部へ着脱可能に嵌合されるインナーケース１６と、このインナーケース１６の開口部に開閉可能に被着されるファイヤープロテクター１７を有している。
【００１３】
さらに上記灰皿本体１５の両側外面には、円弧状ガイド片２７がそれぞれ配設されており、これらのガイド片が上記アウターケース１４に一体形成されている左右一対のガイドレール（不図示）内で摺動可能に保持されていて、上記ガイド片とガイドレールとの関係で灰皿本体１５は、円弧方向へ開閉移動できるものである。
【００１４】
上記アウターケース１４に形成されている奥起立壁１８には、該アウターケース１４をインストルメントパネル１１にねじ着するためのスクリューねじ１９を挿通するためのスクリューねじ挿通孔２０が形成されており、さらにリッドクラスター１２の奥端面２１には、このリッドクラスター１２に上記アウターケース１４を係合させたとき、上記スクリューねじ挿通孔２０と一致するねじ挿通孔２２が穿設されている。
【００１５】
上記灰皿本体１５の奥起立壁２３には、上記スクリューねじ１９を廻すための例えばドライバー等の工具２４をインナーケース１６内に挿通可能とするための工具挿通用の透孔２５を穿設せしめているが、この透孔２５の穿設位置は、灰皿本体１５を全開したとき、上記アウターケース１４、リッドクラスター１２のねじ挿通孔２０，２２に挿通されるスクリューねじ１９のねじ軸の延長線Ａ上と一致する位置で穿設されているもので、工具２４はこの透孔２５を通して、スクリューねじ１９に係合させることができる。
【００１６】
以上が本実施形態であるが、次にその作用について述べる。本実施形態である自動車用灰皿は、アウターケース１４と、このアウターケース１４により円弧方向である前後方向へ開閉摺動可能に支持されている灰皿本体１５の組合せであって、この自動車用灰皿は、リッドクラスター１２と共にインストルメントパネル１１の所定位置にスクリューねじ１９により螺着されるものである。
【００１７】
そこで上記自動車用灰皿をインストルメントパネル１１に螺着する手順としては、上記スクリューねじ挿通孔２０とねじ挿通孔２２とが一致されているアウターケース１４を、リッドクラスター１２と共にインストルメントパネル１１の所定位置に係合させる。次いで灰皿本体１５をアウターケース１４に対して全開状態とすると、灰皿本体１５に設けられている透孔２５の孔軸と、上記ねじ挿通孔２０，２２の孔軸とが一致する。従ってねじ挿通孔２０，２２に貫通させたスクリューねじ１９の廻し操作を透孔２５を挿通する工具２４により行なって、自動車用灰皿のアウターケース１４及びリッドクラスター１２を共にインストルメントパネル１１にねじ止めすることができる。
【００１８】
次いで全開状態にある灰皿本体１５の内部にインナーケース１６を嵌合させた後、該灰皿本体１５をアウターケース１４内へ押し込んで閉塞すれば自動車用灰皿の取付けが完了する。
【００１９】
【発明の効果】
このように本発明によれば、自動車用灰皿を、スクリューねじ１９を用いてインストルメントパネル１１にねじ止めするために使用する工具先端を、上記スクリューねじ１９に目掛けて案内することができる工具挿通用の透孔２５を灰皿本体１５に設けたものであるから、自動車用灰皿のインストルメントパネルへの取付け作業時において、灰皿本体１５を、アウターケース１４から取り外す必要がなく、灰皿本体１５をアウターケース１４に係合保持させたままで、上記取付け作業が行なえるので、灰皿本体の取り外し、取り付け作業の省力化が可能となり、また灰皿本体と車体既設部材との干渉による灰皿本体の組付け作業の不能などの不具合が生じることなく、自動車用灰皿の取付作業性が大幅に改善される。
【図面の簡単な説明】
【図１】本発明の自動車用灰皿取付構造の実施形態を示す側面説明図。
【図２】本発明の自動車用灰皿取付構造の実施形態を示す取付時の説明図。
【図３】従来の自動車用灰皿取付構造を示す説明図。
【符号の説明】
１１…インストルメントパネル
１２…リッドクラスター
１３…取付ねじ
１４…アウターケース
１５…灰皿本体
１６…インナーケース
１７…ファイヤープロテクタ
１８…奥起立壁
１９…スクリューねじ
２０…スクリューねじ挿通孔
２１…奥端面
２２…ねじ挿通孔
２３…奥起立壁
２４…工具
２５…透孔
２６…支持部材（インストルメントパネル中央部）
２７…ガイド片
【図１】
0003734340.tif 000002
【図２】
0003734340.tif 000003
【図３】
0003734340.tif 000004